(57)【特許請求の範囲】
【請求項１】
帯状でエンドレスな透光性フィルムに複数の図柄を表示してなる図柄表示テープと、
該図柄表示テープを掛け渡すプーリと、
前記図柄表示テープに対し、プーリとプーリの間であって遊技客に対向する表示領域の反対側を通る部分の図柄表示テープ表面に接触するよう該図柄表示テープの外側に設けた駆動ローラと、
遊技客に対向する表示領域をカバーするように図柄表示テープの裏側に適当間隔を置いて設置した反射板と、該反射板と図柄表示テープの間に設けた発光手段と、該発光手段と前記図柄表示テープの間に設けた透光性を有する板部材との組み合わせである照明装置と、
からなる図柄変動表示装置を備えたことを特徴とする遊技機。
【請求項２】
帯状でエンドレスな透光性フィルムに複数の図柄を表示してなる図柄表示テープと、
該図柄表示テープを掛け渡すプーリと、
前記図柄表示テープに対し、プーリとプーリの間であって遊技客に対向する表示領域の反対側を通る部分の図柄表示テープ表面に接触するよう該図柄表示テープの外側に設けた駆動ローラと、
遊技客に対向する表示領域をカバーするように図柄表示テープの裏側に適当間隔を置いて設置した反射板と、該反射板と図柄表示テープの間に設けた発光手段と、該発光手段と前記図柄表示テープの間に設けた透光性を有する板部材との組み合わせである照明装置と、を備え、
さらに前記プーリの胴部を光反射構造にして前記発光手段の光を表示領域の裏側に反射させるようにしてなる図柄変動表示装置を備えたことを特徴とする遊技機。
【発明の詳細な説明】
【０００１】
【産業上の利用分野】
本発明は、複数の図柄を変動表示するための図柄変動表示装置を備えた遊技機に関する。
【０００２】
【従来の技術】
パチンコ機を代表とする遊技機には、複数の図柄を変動させ、停止した時点における図柄に応じて遊技客に所定の利益を与えるようにしたものがある。このタイプの遊技機は、複数の図柄を変動表示させる図柄変動表示装置が遊技機の見やすい位置に設置されているのが普通である。而して、従来の図柄変動表示装置として、例えば、裏面に等ピッチで凸状の歯を突設し表面に複数の図柄を印刷してなるエンドレスな図柄表示ベルトと、該図柄表示ベルトに噛合する駆動用の歯付きプーリとを組み合わせた構造のものがあった。
【０００３】
【発明が解決しようとする課題】
上記図柄変動表示装置は、図柄表示ベルトの裏面に凸状の歯が形成されているため、図柄表示ベルトの裏側から光を照射した場合に、前記歯の部分と谷の部分で光の透過率が大きく異なるため、表面に縞模様が浮き上がって図柄の判別が著しく困難になる。このことから明らかなように従来の図柄変動表示装置は、図柄表示ベルトの裏側から光を照射することが構造的にできないものであり、表示が暗くて見難い問題点があった。
【０００４】
本発明は、上記に鑑みなされたもので、その目的は、明るくて見易い表示を可能にした図柄変動表示装置を備えた遊技機を提供することにある。
【０００５】
【課題を解決するための手段】
上記の目的を達成するため本発明は、帯状でエンドレスな透光性フィルムに複数の図柄を表示してなる図柄表示テープと、該図柄表示テープを掛け渡すプーリと、前記図柄表示テープに対し、プーリとプーリの間であって遊技客に対向する表示領域の反対側を通る部分の図柄表示テープ表面に接触するよう該図柄表示テープの外側に設けた駆動ローラと、遊技客に対向する表示領域をカバーするように図柄表示テープの裏側に適当間隔を置いて設置した反射板と、該反射板と図柄表示テープの間に設けた発光手段と、該発光手段と前記図柄表示テープの間に設けた透光性を有する板部材との組み合わせである照明装置と、からなる図柄変動表示装置を備えた遊技機を提供する。
【０００６】
【作用】
図柄変動表示装置は、駆動ローラが回転すると図柄表示テープが送られ、該図柄表示テープがプーリ間を周回する。駆動ローラと図柄表示テープを接触させてモータの回転力を図柄表示テープに伝達するようにすることで、図柄表示テープの厚みを均一化することができる。その結果、発光手段から照射した光が直接又は反射板で反射されて図柄表示テープを斑無く透過し、図柄が明るく鮮明に浮き上がって表示が見易くなる。また、発光手段と図柄表示テープの間に透光性を有する板部材を設けたことにより発光手段の熱が遮られるため、発光手段の熱で図柄表示テープが伸びたり弛んだりするおそれがない。
【０００７】
【実施例】
以下に本発明の実施例を遊技機たるパチンコ機を例示しつつ説明する。なお、図１は図柄変動表示装置の縦断面図、図２は図柄変動表示装置の一部分解斜視図、図３は一個の図柄変動ユニットを示す前面斜視図、図４は一個の図柄変動ユニットを示す後面斜視図、図５は照明装置の分解斜視図、図６はテンションローラを示す要部拡大断面図、図７はパチンコ機の正面図である。
【０００８】
先ず、パチンコ機Ｐの概要について説明する。図７のように、遊技板１の遊技領域１ａには、中央に図柄変動表示装置２が設置され、さらにその周囲に始動入賞口３，３…や変動入賞装置４などが設置されている。前記中央の図柄変動表示装置２は、四角い表示窓５に三列×三行で合計九個の図柄６，６…が一度に表示され、上・中・下の各行と対角線上に合計五本の当たりラインが設定されている。そして、パチンコ機Ｐは、始動入賞口３，３…への入賞を受けて図柄変動表示装置２の図柄６を列方向に変動させ、その変動が停止した時点の当たりライン上の図柄６が例えば「○，○，○」などのように所定の組み合わせである場合に変動入賞装置４を所定の条件で作動させるのである。
【０００９】
次に、図柄変動表示装置２について説明する。図柄変動表示装置２は、遊技板１の表側に位置する取付基盤７と、一列分の図柄表示機能を持つ図柄変動ユニット８と、該図柄変動ユニット８を三個並べて収納設置する箱状の裏ケース９と、からなる。前記取付基盤７は遊技板１にビスなどで取着されるもので、透明カバー１０を嵌め込んだ四角形の表示窓５を有する。なお、透明カバー１０を凸レンズ状にして図柄６を拡大表示するようにしてもよい。
【００１０】
前記図柄変動ユニット８は、図３〜図６に示したように、後端に長方形のリアパネル１１を立設した四角いベース板１２と、帯状でエンドレスな図柄表示テープ１３と、該図柄表示テープ１３を掛け渡すプーリ１４ａ〜１４ｃ及びテンションローラ１４ｄと、図柄表示テープ１３の表面に接触する駆動ローラ１５と、該駆動ローラ１５を回転させるステッピングモータ１６と、前記駆動ローラ１５に図柄表示テープ１３を押し付ける加圧ローラ１７と、図柄表示テープ１３を照らし出す照明装置１８とから概略構成される。
【００１１】
前記図柄表示テープ１３は、乳白色で透光性がある帯状の透光性フィルム１９をエンドレスに形成すると共に該透光性フィルム１９の表面に例えば「○，△，□，…」などの図柄６，６…を印刷してなる。該図柄表示テープ１３の両側縁には全周に亙って濃色に着色した遮光ベルト部１３ａ，１３ｂを形成し、ベース板１２側の遮光ベルト部１３ａに夫々の図柄６の中央に対応させて透明な図柄ポイント２０が形成してある。そして、他側縁の遮光ベルト部１３ｂには透明なスタートポイント２１が一個形成されている。図柄表示テープ１３は、前記プーリ１４ａ〜１４ｃとテンションローラ１４ｄに掛け渡されており、プーリ１４ｂとプーリ１４ｃの間が遊技客に対向する表示領域となる。
【００１２】
前記プーリ１４ａ〜１４ｃ及びテンションローラ１４ｄは、円柱形の胴部２２の両端部に図柄表示テープ１３案内用のフランジ２３を設けてなる形状であって、全体が硬質の合成樹脂で出来ており、さらに胴部２２外周に若干のクッション性と弱粘性を有する材質の白色カバー層２４を設けてなる。プーリ１４ａ〜１４ｃは、ベース板１２の各コーナー部分に配置されており、回転軸２５ａ〜２５ｃを中心に回転自在である。回転軸２５ａ〜２５ｃはベース板１２に固設されており、従って、回転軸２５ａ〜２５ｃに軸承されているプーリ１４ａ〜１４ｃは、ベース板１２上の定位置で回転する。
【００１３】
一方、テンションローラ１４ｄは、ベース板１２上に揺動自在に軸着してなるアーム２６先端に、回転軸２５ｄをもって回転自在に軸承されており、これによりテンションローラ１４ｄがアーム２６と一緒に揺動し得る。アーム２６のもう一方の端部には付勢手段であるスプリング２７が連結されており、該スプリング２７の弾性でテンションローラ１４ｄを図柄表示テープ１３側に付勢する。
【００１４】
なお、ベース板１２には、テンションローラ１４ｄの揺動範囲に対応するように四角い透孔２８が形成されている。そして、アーム２６のテンションローラ１４ｄ側をベース板１２の透孔２８内で揺動させるようにしてある。こうすることによりテンションローラ１４ｄを他のプーリ１４ａ〜１４ｃと同じ高さ水準に設定することができる。もちろん、前記ベース板１２の透孔２８は必須のものではないが、仮に透孔２８を設けないようにするならば次のような問題点が生ずる。すなわち、透孔２８がなければアーム２６がベース板１２の上面に完全に突出するからテンションローラ１４ｄの取付位置が高くなる。そうなれば必然的に他のプーリ１４ａ〜１４ｃも高い位置に設定する必要があり、それだけ図柄変動ユニット８の嵩（表示窓５の横幅）が増加することになる。しかし、図柄変動表示装置２の大きさにはある程度の制約があるから、図柄表示テープ１３の幅を細くして図柄変動ユニット８の嵩を規定の範囲に収める必要があり、図柄６の大きさ、すなわち表示の見やすさが犠牲になるのである。
【００１５】
前記駆動ローラ１５は、ステッピングモータ１６の駆動軸１６ａに直結されており、硬質の胴部２２の外周に前記プーリ１４ａ〜１４ｃなどと同じく若干のクッション性と弱粘性とを有する材質で白色カバー層２４が設けられている。ステッピングモータ１６は、ベース板１２のリアパネル１１側の縁に位置し、リアパネル１１に設けた切欠部２９に外周の一部を臨ませてベース板１２の占有面積を小さく抑制してある。そうすることによってベース板１２がミニサイズになって図柄変動ユニット８の奥行きが小さくなるため、全体をコンパクト化することができる。なお、切欠部２９は、機能上必須のものではないため設けないようにすることもできる。
【００１６】
加圧ローラ１７は、図柄表示テープ１３の内側に配設されており、前記駆動ローラ１５に図柄表示テープ１３を介して対向している。加圧ローラ１７は、ベース板１２上に揺動自在に軸着されているローラアーム３０の先端に回転自在な状態で軸承されている。ローラアーム３０は、もう一方の端部がスプリング２７で牽引されていて加圧ローラ１７を前記駆動ローラ１５側に付勢する。前記のように加圧ローラ１７と駆動ローラ１５の間には図柄表示テープ１３が介在しているから、図柄表示テープ１３が駆動ローラ１５の周面に加圧ローラ１７で押し付けられる。なお、加圧ローラ１７も前記プーリ１４ａ〜１４ｃと同様に、硬質の胴部２２と、白色カバー層２４と、フランジ２３とからなり、また、前記テンションローラ１４ｄと同様に、ベース板１２に透孔２８を形成して加圧ローラ１７の高さ水準を他のプーリ１４ａ〜１４ｃに合わせる加工が施してある。
【００１７】
照明装置１８は、図５に示したように、反射板１８ａと、透明なカバー部材１８ｂと、例えば三個の電球である発光手段１８ｃとからなる。反射板１８ａは、白色の合成樹脂製であって、前記表示領域に対応する図柄表示テープ１３の裏側に適当な間隔を置いてベース板１２上に固着されている。該反射板１８ａは、表示領域にある図柄表示テープ１３と平行な垂直板部１８ａ−１と、該垂直板部１８ａ−１の両端を八字状に屈曲させた集光板部１８ａ−２とからなり、集光板部１８ａ−２の延長線上にプーリ１４ｂ，１４ｃが位置する。前記のようにプーリ１４ｂ，１４ｃは胴部２２が白色カバー層２４で被われているから該プーリ１４ｂ，１４ｃも反射板１８ａと同様に光を反射する。
【００１８】
前記カバー部材１８ｂは、図柄表示テープ１３と反射板１８ａの間にあってベース板１２上にビスで固着されている。カバー部材１８ｂは、反射板１８ａの前方に位置する板部材と上下に位置する板部材で三方を囲うコ字状のカバー枠１８ｂ−１と、ベース板１２に接する台板１８ｂ−２とからなるもので、台板１８ｂ−２に放熱及び減量化対策のための貫通孔１８ｂ−３と、該貫通孔１８ｂ−３沿いに発光手段取付用のネジ受部１８ｂ−４を形成してなる。発光手段１８ｃは配線基盤３１上に設置されており、該配線基盤３１をカバー部材１８ｂのネジ受部１８ｂ−４にビス止めするようにしてカバー部材１８ｂに組み込まれている。ベース板１２にはカバー部材１８ｂの貫通孔１８ｂ−３に合わせて長孔３２が穿設されており、両孔１８ｂ−３，３２を通って発光手段１８ｃから発生する熱が拡散される。なお、カバー部材１８ｂは透明以外に、単純に光を透過させたり、或いは、透過した光を拡散させる性質のものでもよい。
【００１９】
その他、ベース板１２には発光素子３３と受光素子３４の組み合わせである光学式の第一センサーＳ１と第二センサーＳ２が設置されている。前記第一センサーＳ１は、加圧ローラ１７とプーリ１４ａの間にあって図柄表示テープ１３のスタートポイント２１に対応し、第二センサーＳ２は、表示窓５のほぼ中央の高さ位置にあって図柄表示テープ１３の図柄ポイント２０に対応する。そして、第一センサーＳ１でスタートポイント２１を検知した後、その情報を元に第二センサーＳ２で図柄６を検知するように設定されている。この第一センサーＳ１と第二センサーＳ２の信号を組み合わせて前記ステッピングモータ１６が制御される。前記のように図柄ポイント２０が図柄６の中央に対応し、第二センサーＳ２が表示窓５の中央に位置するため、図柄６の大きさに統一性がなくとも表示窓５の中央に図柄６を揃えて停止させることが極簡単に行える。なお、光学式のセンサーに代え、図柄表示テープ１３の側縁に磁気により図柄の情報を記録して図柄６を検知するなど、他の手段によって図柄表示テープ１３の位置検出をしてもよい。また、ステッピングモータ１６の制御は、第一センサーＳ１と第二センサーＳ２の信号を組み合わせる必要は必ずしもなく、一個のセンサーで制御するシステムを採用するようにしてもよい。そのための一具体例として、図柄ポイント２０の任意の一個を基準点に定め、該基準点の図柄ポイント２０の横に透明なスタートポイントを近接配置し、この図柄ポイント２０とスタートポイントの連続信号により基準点を判断する方法がある。
【００２０】
また、ベース板１２には、図４に示したように、前記した透孔２８や長孔３２以外にもステッピングモータ１６に対応する放熱孔３５や配線基盤の半田部分Ｚに対応させた遊孔３６が設けられている。この遊孔３６は、配線基盤の半田付けで盛り上がった部分を臨ませるようにしたもので、該遊孔３６を設けたことにより配線基盤をベース板１２上に密着させることができる。従って、従来のように配線基盤をベース板１２上に浮き上がらせて設置する必要がなくなるから、図柄変動ユニット８の薄型化に極めて有効である。
【００２１】
而して、上記図柄変動ユニット８は一列分の図柄６に対応するものであり、三組の図柄変動ユニット８が裏ケース９内に次のようにして組み込まれている。すなわち、裏ケース９には、天板９ａと底板９ｂに夫々三本のレール枠３７が固着されており、該レール枠３７に三組の図柄変動ユニット８のベース板１２を裏ケース９の裏側から別々に差込んで嵌め、ベース板１２のリアパネル１１の上下両端に設けた取付孔３８にビス３９を通して該ビス３９を裏ケース９の突片４０に締め付けておく。ベース板１２の先端コーナー部分Ｒは丸く（テーパでもよい。）面取りされているため、レール枠３７が合成樹脂であっても食い込むことなく容易に差し込むことができる。
【００２２】
なお、本実施例は、前記加圧ローラ１７と駆動ローラ１５及びステッピングモータ１６など、全ての部品をプーリ１４ａ〜１４ｃ及びテンションローラ１４ｄの高さの範囲内に収めるように設定したものである。こうすることにより、図柄変動ユニット８を上記のように三個並設する場合でも、隣り合う図柄６同士の間隔を最小限にすることができるため、図柄６と図柄６の横方向の間隔が不必要に広がらず、表示バランスが非常に良くなる効果がある。
【００２３】
その他、図１，４中、符号Ｃは、リアパネル１１に設けた接続用のコネクターである。
【００２４】
次に、本発明の図柄変動表示装置２の動作説明をする。先ず、図７において始動入賞口３，３…にパチンコ球が入賞すると、三個の図柄変動ユニット８の各ステッピングモータ１６が始動して駆動ローラ１５が回転する。駆動ローラ１５は、前記のように弱粘性がある白色カバー層２４で表面が覆われているから摩擦係数が高く、しかも、加圧ローラ１７によって図柄表示テープ１３が加圧状態で駆動ローラ１５に接しているため、駆動ローラ１５と図柄表示テープ１３の間に生ずる摩擦力によって図柄表示テープ１３が周回する。そして、各ステッピングモータ１６を所定の順番か、又は、一斉に停止させ、その時の当たりライン上の図柄６の組み合わせを判定する。その判定の結果、図柄６が所定の組み合わせである場合には、パチンコ機Ｐが大当たり状態となって変動入賞装置４を所定の態様で作動させ、遊技客に所定の利益を与える。なお、実施例の図柄変動表示装置２は、図柄表示テープ１３の長さが温度や長期間の使用で多少変化しても、スプリング２７の付勢でテンションローラ１４ｄが図柄表示テープ１３に押し付けられるため、図柄表示テープ１３には常時適度な張力が付与されている。従って、図柄表示テープ１３が弛まず、外れない。
【００２５】
而して、図柄変動表示装置２の照明装置１８は、パチンコ機Ｐの遊技用制御基盤で制御されるように設定されており、ゲームの進行に伴って点灯制御する。照明装置１８の発光手段１８ｃが点灯すると、その光は直接又は反射板１８ａ及びプーリ１４ｂ，１４ｃの白色カバー層２４で反射されて図柄表示テープ１３を透過し、図柄６を明るく映し出す。図柄表示テープ１３は厚みが一様で光の透過率に斑がないため、図柄表示テープ１３が周回して移動しても光がちらつかない。また、発光手段１８ｃと図柄表示テープ１３の間にカバー部材１８ｂの板部材が介在していて発光手段１８ｃの熱を遮り、その上、前記のようにベース板１２の長孔３２とカバー部材１８ｂの貫通孔１８ｂ−３により熱がこもらないため、発光手段１８ｃの熱で図柄表示テープ１３が伸びたり弛んだりしない。
【００２６】
以上本発明を実施例について説明したが、もちろん本発明は上記実施例に限定されるものではない。例えば、実施例では発光手段１８ｃとして電球を使用したが、発光ダイオードなどを利用するようにしてもよい。また、図柄表示テープ１３の図柄６は、図示したような図形の他、絵や数字なども含まれる。
【００２７】
また、実施例ではテンションローラ１４ｄのアーム長を固定的にしたが、アーム２６に複数個（例えば三個）の軸孔を形成し、該軸孔の何れかを選択してアーム長を変更可能にしてもよい。そうすることで、アーム２６の揺動中心とテンションローラ１４ｄの外周までの最大距離を数段階（例えば三段階）に増減することができるから長さの異なる図柄表示テープ１３にも柔軟に対応することができる。また、同じくアーム２６の揺動中心とテンションローラ１４ｄの外周までの最大距離を増減する目的を達成するために、アーム２６を伸縮式にして前記距離を増減させるか、又は、アーム長の異なるアーム２６を複数種類用意して図柄表示テープ１３のサイズに合わせてそれを選択するか、或いは、径の異なるテンションローラ１４ｄを複数種類用意して図柄表示テープ１３のサイズに合わせてそれを選択するようにしてもよい。
【００２８】
また、実施例は裏ケース９内に図柄変動ユニット８を三個並設したが、その個数は任意である。少なくとも一個あれば図柄変動のゲームは可能である。また、プーリの個数も四個より多くても少なくてもよい。また、駆動ローラ１５を回転させるモータは、電気的に回転制御できるものであればどのようなものであってもよい。さらにまた、遊技機としてパチンコ機Ｐを例示したが、広く遊技機全般に適用できる。
【００２９】
【発明の効果】
本発明の遊技機に設置した図柄変動表示装置は、駆動ローラと図柄表示テープを接触させてモータの回転力を図柄表示テープに伝達するようにしたため、図柄表示テープの厚みが一様で薄いものが使用でき、その結果、図柄表示テープの光の透過率が均一で大きくなる。従って、内部に設けた照明装置から照射した光が直接又は反射板で反射されて図柄表示テープを斑無く透過するため、図柄が明るく浮き上がって表示が見易くなり、しかも、図柄表示テープが周回しても光のちらつきが生じない、などの優れた効果を発揮する。また、発光手段と図柄表示テープの間に透光性を有する板部材を設けたことにより発光手段の熱が遮られるため、発光手段の熱で図柄表示テープが伸びたり弛んだりするおそれがない。
【図面の簡単な説明】
【図１】  図柄変動表示装置の縦断面図である。
【図２】  図柄変動表示装置の一部分解斜視図である。
【図３】  一個の図柄変動ユニットを示す前面斜視図である。
【図４】  一個の図柄変動ユニットを示す後面斜視図である。
【図５】  照明装置の分解斜視図である。
【図６】  テンションローラを示す要部拡大断面図である。
【図７】  パチンコ機の正面図である。
【符号の説明】
２    …図柄変動表示装置
６，６…図柄
１３  …図柄表示テープ
１４ａ〜１４ｃ…プーリ
１４ｄ…テンションローラ
１５  …駆動ローラ
１８  …照明装置
１８ａ…反射板
１８ｃ…発光手段
１９  …透光性フィルム
Ｐ    …パチンコ機（遊技機）
【図１】
0003885833.tif 000002
【図２】
0003885833.tif 000003
【図３】
0003885833.tif 000004
【図４】
0003885833.tif 000005
【図５】
0003885833.tif 000006
【図６】
0003885833.tif 000007
【図７】
0003885833.tif 000008